(57)【特許請求の範囲】
【請求項１】
後面に開口する複数のキャビティが形成されたインナハウジングと、
後方から前記キャビティ内に挿入された端子金具と、
前記インナハウジングの前記後面を覆うように配置されて複数のシール孔を前記複数のキャビティと対応させた一括ゴム栓と、
前記インナハウジングを包囲する筒部と、前記一括ゴム栓の後面を覆うように配置されて複数の挿通孔を前記複数のシール孔と対応させた後壁部とを有するアウタハウジングと、
前記後壁部の後面に開口するように形成された係止孔と、
前記インナハウジングに形成され、前記係止孔に係止することで、前記インナハウジングと前記アウタハウジングを組付け状態にロックする係止部と、
前記後壁部の後面を凹ませた形態の操作孔と、
前記操作孔と前記係止孔とを仕切るように形成され、前記操作孔側へ弾性撓み可能な隔壁とを備え、
前記インナハウジングと前記アウタハウジングを組み付ける過程では、前記操作孔側へ弾性変位した前記隔壁の全厚さ領域が、前記係止部と並ぶように位置することで後方から目視可能となり、
前記インナハウジングと前記アウタハウジングの組付けが完了した状態では、弾性復帰した前記隔壁の一部が前記係止部の陰に隠れて目視不能となることを特徴とするコネクタ。
【請求項２】
前記後壁部の後面のうち前記挿通孔の開口領域と前記係止孔の開口領域とが、面一状に連なっていることを特徴とする請求項１記載のコネクタ。
【請求項３】
前記係止孔の内周には、段差状の受け部が形成され、
前記係止部が前記受け部に係止されていることを特徴とする請求項１又は請求項２記載のコネクタ。
【請求項４】
前記後壁部の後面形状と前記インナハウジングの後面形状が、略方形をなしており、
前記係止孔が、前記後壁部の外周を構成する４辺のうち互いに略平行な２つの辺に沿って、夫々、一対ずつ設けられ、
一方の前記辺に沿った前記一対の係止孔の間隔と、他方の前記辺に沿った前記一対の係止孔の間隔とが異なった寸法とされていることを特徴とする請求項１ないし請求項３のいずれか１項に記載のコネクタ。
【請求項５】
前記係止部と前記後壁部が互いに異なる色に設定されていることを特徴とする請求項１ないし請求項４のいずれか１項に記載のコネクタ。
【発明の詳細な説明】
【技術分野】
【０００１】
本発明は、コネクタに関するものである。
【背景技術】
【０００２】
特許文献１には、インナハウジングとアウタハウジングと複数の端子金具と一括ゴム栓とを組み付けて構成されるコネクタが開示されている。インナハウジング内には複数のキャビティが形成され、各キャビティ内には後方から端子金具が挿入されている。アウタハウジングは、インナハウジングを包囲する筒部と、各キャビティと対応する複数の挿通孔が形成された後壁部とを有する。一括ゴム栓は、複数のシール孔を有していて、インナハウジングの後面を覆うとともに各シール孔をキャビティと対応させるようにして取り付けられている。後壁部は、挿通孔をシール孔と対応させた状態で、一括ゴム栓の後面を覆うように配置されている。
【先行技術文献】
【特許文献】
【０００３】
【特許文献１】特開２０１０−１５３０７２号公報
【発明の概要】
【発明が解決しようとする課題】
【０００４】
上記のコネクタでは、インナハウジングの後端部外周に沿って形成した弾性係止片を、アウタハウジングの筒部の内周に形成した係止凹部に係止することによって、インナハウジングとアウタハウジングが組付け状態にロックされている。この係止構造では、弾性係止片がアウタハウジングの筒部で包囲されているため、アウタハウジングの外部から弾性係止片を撓ませて係止凹部から外すことができない。
本発明は上記のような事情に基づいて完成されたものであって、インナハウジングとアウタハウジングを組付け状態にロックするための係止手段を簡単に解除できるようにすることを目的とする。
【課題を解決するための手段】
【０００５】
上記の目的を達成するための手段として、請求項１の発明は、後面に開口する複数のキャビティが形成されたインナハウジングと、後方から前記キャビティ内に挿入された端子金具と、前記インナハウジングの前記後面を覆うように配置されて複数のシール孔を前記複数のキャビティと対応させた一括ゴム栓と、前記インナハウジングを包囲する筒部と、前記一括ゴム栓の後面を覆うように配置されて複数の挿通孔を前記複数のシール孔と対応させた後壁部とを有するアウタハウジングと、前記後壁部の後面に開口するように形成された係止孔と、前記インナハウジングに形成され、前記係止孔に係止することで、前記インナハウジングと前記アウタハウジングを組付け状態にロックする係止部と、前記後壁部の後面を凹ませた形態の操作孔と、前記操作孔と前記係止孔とを仕切るように形成され、前記操作孔側へ弾性撓み可能な隔壁とを備え、前記インナハウジングと前記アウタハウジングを組み付ける過程では、前記操作孔側へ弾性変位した前記隔壁の全厚さ領域が、前記係止部と並ぶように位置することで後方から目視可能となりり、前記インナハウジングと前記アウタハウジングの組付けが完了した状態では、弾性復帰した前記隔壁の一部が前記係止部の陰に隠れて目視不能となるところに特徴を有する。
【０００６】
請求項２の発明は、請求項１に記載のものにおいて、前記後壁部の後面のうち前記挿通孔の開口領域と前記係止孔の開口領域とが、面一状に連なっているところに特徴を有する。
【０００７】
請求項３の発明は、請求項１または請求項２に記載のものにおいて、前記係止孔の内周には、段差状の受け部が形成され、前記係止部が前記受け部に係止されているところに特徴を有する。
【０００８】
請求項４の発明は、請求項１ないし請求項３のいずれかに記載のものにおいて、前記後壁部の後面形状と前記インナハウジングの後面形状が、略方形をなしており、前記係止孔が、前記後壁部の外周を構成する４辺のうち互いに略平行な２つの辺に沿って、夫々、一対ずつ設けられ、一方の前記辺に沿った前記一対の係止孔の間隔と、他方の前記辺に沿った前記一対の係止孔の間隔とが異なった寸法とされているところに特徴を有する。
【０００９】
請求項５の発明は、請求項１ないし請求項４のいずれかに記載のものにおいて、前記係止部と前記後壁部が互いに異なる色に設定されているところに特徴を有する。
【発明の効果】
【００１０】
＜請求項１の発明＞
係止部と係止孔との係止状態を解除するときには、後方から係止部を撓ませて係止孔から解離させればよい。係止部が係止する係止孔は、後壁部の後面に開口しているので、係止部と係止孔の係止を解除する際の作業性に優れている。また、係止部と係止孔の係止状態を容易に目視確認することも可能である。
【００１１】
＜請求項２の発明＞
後壁部の後面のうち挿通孔の開口領域と係止孔の開口領域が面一状に連なっているので、後壁部の後面が広い範囲に亘ってフラットになる。したがって、形状の簡素化を図ることができる。
【００１２】
＜請求項３の発明＞
係止部を、係止孔の内周に係止させたので、係止部の後端部が後壁部の後面から突出せずに済む。
【００１３】
＜請求項４の発明＞
アウタハウジングとインナハウジングを不正に反転した向きで組付けようとしても、係止部と係止孔が整合しないので、不正な向きでの組付けを防止することができる。
【００１４】
＜請求項５の発明＞
係止部と後壁部を互いに異なる色に設定したので、後壁部の後面上における係止部の存在が簡単に目視できる。これにより、係止部の係止状態等を容易に確認することができる。
【図面の簡単な説明】
【００１５】
【図１】実施形態１のコネクタの正面図
【図２】コネクタの断面図
【図３】アウタハウジングの背面図
【図４】インナハウジングの背面図
【図５】インナハウジングの側面図
【図６】インナハウジングの平面図
【発明を実施するための形態】
【００１６】
＜実施形態１＞
以下、本発明を具体化した実施形態１を図１〜図６を参照して説明する。本実施形態のコネクタは、インナハウジング１０と、複数の端子金具１３と、アウタハウジング２０と、一括ゴム栓３０とを備えて構成されている。
【００１７】
インナハウジング１０は、合成樹脂製であり、図４に示すように背面形状が略方形をなすブロック状のハウジング本体１１と、図２に示すようにハウジング本体１１の後面１１Ｒからその外周縁に沿って後方へ突出する略角筒状の筒状収容部１６とを一体に形成して構成されている。ハウジング本体１１内には、前後方向に貫通する複数のキャビティ１２が形成されている。各キャビティ１２内には、後方から端子金具１３が挿入されている。端子金具１３の後端部には電線１４が固着されている。ハウジング本体１１の外周には、シールリング１５が装着されている。また、筒状収容部１６の内周面における前端側の領域は、シール面１９となっている。この前後方向におけるシール面１９の形成領域は、ハウジング本体１１の後面１１Ｒから、筒状収容部１６の後端縁（開口縁）より少し前方の位置に亘っている。
【００１８】
図４，６に示すように、筒状収容部１６の後端縁には、二対の係止部１７Ａ，１７Ｂが形成されている。筒状収容部１６の略方形の後端縁を構成する４辺のうちの上辺１６Ａに、左右一対の第１係止部１７Ａが形成され、筒状収容部１６の後端縁を構成する４辺のうち上辺と平行をなす下辺１６Ｂには、左右一対の第２係止部１７Ｂが形成されている。左右方向（上辺１６Ａ及び下辺１６Ｂと平行な方向）において、一対の第１係止部１７Ａの間隔は、一対の第２係止部１７Ｂの間隔よりも狭く設定されている。
【００１９】
図５，６に示すように、第１係止部１７Ａは、筒状収容部１６の後端縁よりも後方へ突出しているとともに、筒状収容部１６の上面（外面）よりも上方（外方）へ突出した形態となっている。図２に示すように、第１係止部１７Ａの下面（内面）は、筒状収容部１６の内面に対して面一状に連なっている。第１係止部１７Ａのうち筒状収容部１６の上面から上方へ突出した部分の前面は、前後方向に対して略直角をなす第１係止面１８Ａとなっている。第１係止部１７Ａの後端部は、その上下両面の間隔（厚さ）が後方に向かって小さくなるような楔状（テーパ状）に形成されている。
【００２０】
図５に示すように、第２係止部１７Ｂは、筒状収容部１６の後端縁よりも後方へ突出しているとともに、筒状収容部１６の下面（外面）よりも下方（外方）へ突出した形態となっている。図２に示すように、第２係止部１７Ｂの上面（内面）は、筒状収容部１６の内面に対して面一状に連なっている。図５に示すように、第２係止部１７Ｂのうち筒状収容部１６の下面から下方へ突出した部分の前面は、前後方向に対して略直角をなす第２係止面１８Ｂとなっている。第２係止部１７Ｂの後端部は、その上下両面の間隔（厚さ）が後方に向かって小さくなるような楔状（テーパ状）に形成されている。
【００２１】
アウタハウジング２０は、合成樹脂製であり、図２に示すように、前方へ開放された略角筒状をなす筒部２１と、筒部２１の後端を覆う形態の後壁部２４とを一体に形成して構成されている。図３に示すように、後壁部２４の後面２４Ｒの形状は、ハウジング本体１１及び筒状収容部１６と同じく、略方形である。筒部２１を構成する左右両側壁部の支持軸２２には、本実施形態のコネクタと相手側コネクタ（図示省略）とを嵌合するための操作部材であるレバー２３が回動可能に取り付けられている。
【００２２】
図２に示すように、後壁部２４には、後壁部２４を前後方向に貫通した形態であって、複数のキャビティ１２と対応するように配置された複数の挿通孔２５が形成されている。図３に示すように、後壁部２４には、二対の係止孔２６Ａ，２６Ｂが形成されている。左右一対の第１係止孔２６Ａは上記一対の第１係止部１７Ａと対応するように配置され、左右一対の第２係止孔２６Ｂは上記一対の第２係止部１７Ｂと対応するように配置されている。一対の第１係止孔２６Ａは、後壁部２４の略方形の外周を構成する４辺のうちの上辺２４Ａに沿うように配置され、後壁部２４における全ての挿通孔２５の形成領域よりも上方に位置している。一対の第２係止孔２６Ｂは、後壁部２４の外周を構成する４辺のうち上辺２４Ａと平行をなす下辺２４Ｂに沿うように配置され、後壁部２４における全ての挿通孔２５の形成領域よりも下方に位置している。左右方向（上辺２４Ａ及び下辺２４Ｂと平行な方向）において、一対の第１係止孔２６Ａの間隔は、一対の第２係止孔２６Ｂの間隔よりも狭く設定されている。
【００２３】
図２に示すように、各係止孔２６Ａ，２６Ｂには、夫々、受け部２７Ａ，２７Ｂが形成されている。第１係止孔２６Ａにおいては、その後端部内周を上方へ段差状に切欠することによって第１受け部２７Ａが形成されている。第１受け部２７Ａの後面は、前後方向に対して略直角な受け面となっている。第１係止孔２６Ａの後端部のうち第１受け部２７Ａ（受け面）よりも後方の空間は、後壁部２４の後面２４Ｒに開口している。第１係止孔２６Ａのうち第１受け部２７Ａの受け面よりも前方の領域の高さ寸法（上下寸法）は、上記第１係止部１７Ａの厚さ寸法（上下寸法）より小さく、筒状収容部１６の厚さと同じかそれよりも僅かに小さい寸法とされている。
【００２４】
一方、第２係止孔２６Ｂにおいては、その後端部内周を下方へ段差状に切欠することによって第２受け部２７Ｂが形成されている。第２受け部２７Ｂの後面も、前後方向に対して略直角な受け面となっている。第２係止孔２６Ｂの後端部のうち第２受け部２７Ｂ（受け面）よりも後方の空間は、後壁部２４の後面２４Ｒに開口している。第２係止孔２６Ｂのうち第２受け部２７Ｂの受け面より前方の領域の高さ寸法（上下寸法）は、上記第２係止部１７Ｂの厚さ寸法（上下寸法）よりも小さく、筒状収容部１６の厚さと同じかそれよりも僅かに小さい寸法とされている。
【００２５】
図２に示すように、後壁部２４の後面２４Ｒのうち挿通孔２５の開口領域と、後壁部２４のうち係止孔２６Ａ，２６Ｂの開口領域は、互いに面一状（平坦状）に連なっている。この形態によれば、後壁部２４の後面２４Ｒが広い範囲（ほぼ全領域）に亘ってフラットになるので、形状の簡素化が実現されている。
【００２６】
図２，３に示すように、後壁部２４には、その後面２４Ｒにおいて左右方向に長いスリット状に開口するとともに、前方へ深く袋小路状に凹まされた形態の二対の操作孔２８Ａ，２８Ｂが形成されている。一対の第１操作孔２８Ａは、一対の第１係止孔２６Ａの上方近傍に配置され、第１係止孔２６Ａと第１操作孔２８Ａとを仕切る第１隔壁２９Ａ（第１受け部２７Ａを含む）は、水平な板状をなしている。第１操作孔２８Ａの後端部と第１係止孔２６Ａの後端部は、第１受け部２７Ａより後方の空間を介して連通している。したがって、後壁部２４の後面２４Ｒにおいては、図３に示すように、第１係止孔２６Ａ（第１受け部２７Ａより後方の空間を含む）と、第１操作孔２８Ａとが互いに連通した状態で開口している。
【００２７】
一対の第２操作孔２８Ｂは、一対の第２係止孔２６Ｂの下方近傍に配置され、第２係止孔２６Ｂと第２操作孔２８Ｂとを仕切る第２隔壁２９Ｂ（第２受け部２７Ｂを含む）は、水平な板状をなしている。第２操作孔２８Ｂの後端部と第２係止孔２６Ｂの後端部は、第２受け部２７Ｂより後方の空間を介して連通している。したがって、後壁部２４の後面２４Ｒにおいては、第２係止孔２６Ｂ（第２受け部２７Ｂより後方の空間を含む）と、第２操作孔２８Ｂとが互いに連通した状態で開口している。
【００２８】
一括ゴム栓３０の後面３０Ｒの形状は、ハウジング本体１１、筒状収容部１６及び後壁部２４と同じく、略方形をなしている。図２に示すように、一括ゴム栓３０には、複数のキャビティ１２及び複数の挿通孔２５と対応する複数のシール孔３１が、前後方向に貫通して形成されている。各シール孔３１の内周には、周知形態のリップ部が形成されている。また、一括ゴム栓３０の外周にも、周知形態のリップ部が形成されている。一括ゴム栓３０は、後方から筒状収容部１６内に収容するとともに、ハウジング本体１１（インナハウジング１０）の後面１１Ｒを覆うように取り付けられている。一括ゴム栓３０をインナハウジング１０に取り付けた状態では、一括ゴム栓３０の外周のリップ部が、筒状収容部１６のシール面１９に対して液密状に密着する。
【００２９】
アウタハウジング２０とインナハウジング１０は、アウタハウジング２０の筒部２１に対してインナハウジング１０を前方から挿入するようにして組み付けられる。両ハウジング１０，２０を組み付けた状態では、筒部２１の後端部が筒状収容部１６に外嵌されることにより、両ハウジング１０，２０の上下左右方向（両ハウジング１０，２０の組付け方向と交差する方向）への相対変位が規制される。また、筒状収容部１６の後端縁が、後壁部２４の前面に対し前方から当接又は接近して対向することにより、インナハウジング１０がアウタハウジング２０に対して後方への相対変位を規制される。
【００３０】
また、両ハウジング１０，２０を組み付ける過程では、各係止部１７Ａ，１７Ｂが係止孔２６Ａ，２６Ｂに嵌入する。係止部１７Ａ，１７Ｂが係止孔２６Ａ，２６Ｂ内に嵌入する際には、まず、係止部１７Ａ，１７Ｂの楔状をなす後端部が係止孔２６Ａ，２６Ｂ内に進入し、係止部１７Ａ，１７Ｂの進入が進むのに伴い、係止孔２６Ａ，２６Ｂと操作孔２８Ａ，２８Ｂとを仕切る隔壁２９Ａ，２９Ｂが操作孔２８Ａ，２８Ｂ側へ逃げるように弾性撓みする。そして、係止部１７Ａ，１７Ｂが受け部２７Ａ，２７Ｂに係止する正規の組付け位置まで嵌入されると、係止部１７Ａ，１７Ｂが隔壁２９Ａ，２９Ｂを通過するので、隔壁２９Ａ，２９Ｂが係止孔２６Ａ，２６Ｂ側へ弾性復帰し、係止部１７Ａ，１７Ｂの係止面１８Ａ，１８Ｂが係止孔２６Ａ，２６Ｂの受け面に対して後方から係止又は接近して対向する。
【００３１】
この係止部１７Ａ，１７Ｂと係止孔２６Ａ，２６Ｂの係止により、インナハウジング１０がアウタハウジング２０に対して前方（離脱する方向）への相対変位を規制される。また、係止部１７Ａ，１７Ｂの係止対象である受け部２７Ａ，２７Ｂは、係止孔２６Ａ，２６Ｂの内周を段差状に凹ませることによって形成され、係止部１７Ａ，１７Ｂの全体が係止孔２６Ａ，２６Ｂの内部に収容された状態となる。この構成によれば、係止部１７Ａ，１７Ｂの後端部は、後壁部２４の後面２４Ｒから外方（後方）へ突出せずに済む。以上により、両ハウジング１０，２０が組付け状態に保持される。
【００３２】
両ハウジング１０，２０が組み付けられると、後壁部２４が一括ゴム栓３０の後面３０Ｒを覆うように位置し、複数の挿通孔２５が複数のシール孔３１と対応するように位置する。そして、端子金具１３から後方へ導出された電線１４がシール孔３１を貫通し、電線１４の外周とシール孔３１の内周との隙間が液密状にシールされる。尚、キャビティ１２に端子金具１３を挿入する際には、端子金具１３が挿通孔２５とシール孔３１を順に貫通する。
【００３３】
両ハウジング１０，２０を組付け状態にロックする係止部１７Ａ，１７Ｂは、後壁部２４の後面２４Ｒに開口する係止孔２６Ａ，２６Ｂ内に収容された状態で、後壁部２４の後方から目視可能とされている。両ハウジング１０，２０が組付け途中の状態では、隔壁２９Ａ，２９Ｂが操作孔２８Ａ，２８Ｂ側へ弾性変位して、隔壁２９Ａ，２９Ｂ（受け部２７Ａ，２７Ｂ）の全厚さ領域が係止部１７Ａ，１７Ｂと並ぶように位置して目視できる。また、両ハウジング１０，２０の組付けが完了した状態では、隔壁２９Ａ，２９Ｂが弾性復帰するので、隔壁２９Ａ，２９Ｂ（受け部２７Ａ，２７Ｂ）の一部が係止部１７Ａ，１７Ｂの陰に隠れて目視できなくなる。したがって、隔壁２９Ａ，２９Ｂと係止部１７Ａ，１７Ｂとの位置関係、及び隔壁２９Ａ，２９Ｂの全体が目視し得るか否かによって、両ハウジング１０，２０の組付け状態（係止部１７Ａ，１７Ｂと係止孔２６Ａ，２６Ｂの係止状態）を検知することができる。
【００３４】
また、両ハウジング１０，２０を離脱する際には、後方から操作孔２８Ａ，２８Ｂに治具（図示省略）を差し込んで、係止部１７Ａ，１７Ｂと受け部２７Ａ，２７Ｂとの係止を解除する。治具としては、マイナスドライバー又はそれと同じ形状のものを用いることができる。係止を解除するときには、治具の先端を操作孔２８Ａ，２８Ｂの奥端まで差し込み、その治具を、操作孔２８Ａ，２８Ｂの奥端を支点として係止孔２６Ａ，２６Ｂから逃げる方向へ傾ける。すると、治具で押された操作孔２８Ａ，２８Ｂが、係止孔２６Ａ，２６Ｂから逃げる方向へ変位するとともに、隔壁２９Ａ，２９Ｂと受け部２７Ａ，２７Ｂも操作孔２８Ａ，２８Ｂに追従して係止孔２６Ａ，２６Ｂから逃げる方向へ変位する。このように受け部２７Ａ，２７Ｂが変位することにより、受け部２７Ａ，２７Ｂが係止部１７Ａ，１７Ｂから外れて、係止が解除される。本実施形態では、係止部１７Ａ，１７Ｂの係止対象である係止孔２６Ａ，２６Ｂが、後壁部２４の後面２４Ｒに開口しているので、係止部１７Ａ，１７Ｂと係止孔２６Ａ，２６Ｂの係止を解除する際の作業性に優れている。
【００３５】
また、後壁部２４の後面２４Ｒの形状とインナハウジング１０の後面１１Ｒの形状が、略方形をなしており、係止孔２６Ａ，２６Ｂが、後壁部２４の外周を構成する４辺のうち互いに略平行な上辺２４Ａと下辺２４Ｂに沿って、夫々、一対ずつ設けられ、上辺２４Ａに沿った一対の第１係止孔２６Ａの間隔と、下辺２４Ｂに沿った一対の第２係止孔２６Ｂの間隔とが異なった寸法とされている。この構成によれば、アウタハウジング２０とインナハウジング１０を不正に反転した向きで組付けようとしても、係止部１７Ａ，１７Ｂと係止孔２６Ａ，２６Ｂが整合せずに係止できないため、不正な向きでの組付けを防止することができる。
【００３６】
また、本実施形態では、インナハウジング１０とアウタハウジング２０とを互いに異なる色に設定した。この構成によれば、インナハウジング１０に形成されている係止部１７Ａ，１７Ｂと、アウタハウジング２０に形成されている後壁部２４が互いに異なる色となるので、後壁部２４の後面２４Ｒ上における係止部１７Ａ，１７Ｂの存在を容易且つ確実に目視できる。これにより、係止部１７Ａ，１７Ｂの係止状態等を容易に確認することができる。
【００３７】
＜他の実施形態＞
本発明は上記記述及び図面によって説明した実施形態に限定されるものではなく、例えば次のような実施形態も本発明の技術的範囲に含まれる。
（１）上記実施形態では、インナハウジングに形成した筒状収容部の内周面に一括ゴム栓を密着させ、筒状収容部の後端縁に係止部を形成したが、アウタハウジングに形成した筒状収容部の内周面に一括ゴム栓を密着させ、この筒状収容部の外周にインナハウジングの筒状部を外嵌させ、筒状部の後端縁に係止部を形成してもよい。
（２）上記実施形態では、係止部を係止孔の内周の受け部に係止させたが、係止部は、後壁部の後面における係止孔の孔縁部に係止させてもよい。
（３）上記実施形態では、アウタハウジングの後壁部と筒部を一体に形成したが、後壁部と筒部を別体部品としてもよい。
（４）上記実施形態では、後壁部の後面のうち挿通孔の開口領域と係止孔の開口領域が面一状に連なるようにしたが、挿通孔の開口領域と係止孔の開口領域が、段差状をなしていてもよい。
（５）上記実施形態では、係止孔を、後壁部の外周を構成する４辺のうち互いに略平行な２つの辺に沿って、夫々、一対ずつ設けたが、係止孔の数と配置は、上記実施形態以外の任意の形態とすることができる。
（６）上記実施形態では、係止部と後壁部を互いに異なる色に設定したが、係止部と後壁部は同じ色であってもよい。
＜参考例＞
（１）上記実施形態では、係止部と係止孔の係止を解除する際には、係止孔を構成する隔壁を弾性変位させて係止部から解離させたが、参考例として、係止部を、係止孔から解離する方向へ弾性変位させることができる。
【符号の説明】
【００３８】
１０…インナハウジング
１１Ｒ…インナハウジングの後面
１２…キャビティ
１３…端子金具
１７Ａ…第１係止部
１７Ｂ…第２係止部
２０…アウタハウジング
２１…筒部
２４…後壁部
２４Ａ…上辺（後壁部を構成する辺）
２４Ｂ…下辺（後壁部を構成する辺）
２４Ｒ…後壁部の後面
２５…挿通孔
２６Ａ…第１係止孔
２６Ｂ…第２係止孔
２７Ａ…第１受け部
２７Ｂ…第２受け部
３０…一括ゴム栓
３０Ｒ…一括ゴム栓の後面
３１…シール孔
【図１】
0005656122.tif 000002
【図２】
0005656122.tif 000003
【図３】
0005656122.tif 000004
【図４】
0005656122.tif 000005
【図５】
0005656122.tif 000006
【図６】
0005656122.tif 000007